(57)【要約】【課題】波長変換層、密閉ケース、カラーホイールモジュール及び熱交換器を備えるカラーホイール装置を提供する。【解決手段】カラーホイールモジュールは、気流がカラーホイールキャビティの吸気口から入り、排気口から排出されるための動力を供給することにより、気流がカラーホイールキャビティの吸気口から排気口と、熱交換入口と、熱交換出口とを経由して、再び吸気口に戻る循環風路が形成される。本発明では、カラーホイール装置に１つの完全な放熱用の循環風路が形成され、且つ循環風路の駆動力がカラーホイールキャビティ内におけるカラーホイールモジュールにより実現されるため、カラーホイール装置におけるカラーホイールモジュールが循環風路中の気流と十分に熱交換を行い、カラーホイールモジュールの動作時に発生する熱を直ちに奪うことができるため、カラーホイールモジュールの動作効率を向上させ、カラーホイール装置の使用寿命を延長させる。
2019504441.tif 000002
【特許請求の範囲】
【請求項１】
励起光が照射されることにより被励起光を生成する波長変換層と、
内部にカラーホイールキャビティが形成される密閉ケースと、
前記密閉ケース内に設けられているとともに前記カラーホイールキャビティ外に位置する熱交換器と、
前記カラーホイールキャビティ内に設けられているとともに、前記波長変換層が載置されるカラーホイールモジュールと、を備え、
前記カラーホイールキャビティが、前記波長変換層を収容し、吸気口と排気口とを備え、
前記熱交換器の少なくとも前記波長変換層に向かう側の表面に熱交換入口と熱交換出口とが設けられ、前記熱交換器の内部に前記熱交換入口及び前記熱交換出口にそれぞれ対応する吸気通路及び排気通路が設けられ、前記吸気通路と前記排気通路とが互いに分離して設けられ、前記熱交換器の熱交換入口が前記カラーホイールキャビティの吸気口に正対し、前記熱交換器の熱交換出口が前記排気口に正対し、
前記カラーホイールモジュールは、気流がカラーホイールキャビティの吸気口から入り、排気口から排出されるための動力を供給することにより、気流がカラーホイールキャビティの吸気口から順次にカラーホイールモジュールと、カラーホイールキャビティの排気口と、熱交換入口と、熱交換出口とを経由して、再び吸気口に戻る循環風路が形成されることを特徴とするカラーホイール装置。
【請求項２】
前記カラーホイールモジュールが、
受光面の端面に前記波長変換層が設けられる放熱板と、
前記放熱板の、受光面から離れる端面に設けられる複数の羽根と、
前記密閉ケースに固定され、回転軸が前記放熱板に連結し、前記放熱板、波長変換層及び複数の羽根を同期回転させる駆動装置と、
を備えることを特徴とする請求項１に記載のカラーホイール装置。
【請求項３】
前記波長変換層と前記放熱板との間に基板がさらに設けられ、前記基板の、受光面から離れる端面が前記放熱板に接着又は溶接され、前記波長変換層が前記基板の受光面の端面に設けられていることを特徴とする請求項２に記載のカラーホイール装置。
【請求項４】
前記複数の羽根が前記放熱板の径方向に延在し、前記複数の羽根が環状に均一に配置されていることを特徴とする請求項２に記載のカラーホイール装置。
【請求項５】
前記複数の羽根が前記放熱板と一体成形されることを特徴とする請求項４に記載のカラーホイール装置。
【請求項６】
前記放熱板が、金属材質で製造されることを特徴とする請求項２〜５の何れか１項に記載のカラーホイール装置。
【請求項７】
前記放熱板がセラミックス材質で製造され、前記波長変換層が焼結により前記放熱板の表面に固定設置されることを特徴とする請求項２〜５の何れか１項に記載のカラーホイール装置。
【請求項８】
前記カラーホイールモジュールが、蓋体を更に備え、前記蓋体が中部に第１の開口を有し、縁部に１つ又は複数の第２の開口を有し、前記蓋体が前記波長変換層と前記熱交換器との間に位置し、密閉ケースとともにカラーホイールキャビティを形成し、前記第１の開口が前記放熱板の中心軸部位に対向して吸気口を形成し、第２の開口が排気口を形成することを特徴とする請求項２〜５の何れか１項に記載のカラーホイール装置。
【請求項９】
前記熱交換器の表面に放熱フィンがさらに設けられ、前記放熱フィンが前記密閉ケースを通過し、外側へ延出することを特徴とする請求項２〜５の何れか１項に記載のカラーホイール装置。
【請求項１０】
前記第１の開口が円形状であり、前記放熱板は円形状であり、前記第１の開口の直径が前記放熱板の直径よりも小さいことを特徴とする請求項８に記載のカラーホイール装置。
【請求項１１】
前記熱交換器が密閉ケースの内壁又は蓋体に設けられ、前記熱交換器の熱交換出口及び熱交換入口がそれぞれ前記熱交換器の正対する２つの外側面に設けられ、且つ、熱交換出口が前記吸気口に隣接することを特徴とする請求項８に記載のカラーホイール装置。
【請求項１２】
前記熱交換入口及び前記熱交換出口により規定される方向が前記放熱板の軸方向に一致し、且つ、前記熱交換出口が前記吸気口に隣接することを特徴とする請求項１１に記載のカラーホイール装置。
【請求項１３】
前記熱交換器が２つ設けられ、２つの熱交換器が互いに分離して、それぞれ前記吸気口の両側に設けられ、且つ、２つの熱交換器の熱交換入口が対向設置されていることを特徴とする請求項１２に記載のカラーホイール装置。
【発明の詳細な説明】
【技術分野】
【０００１】
本発明は、カラーホイール装置に関し、特に高出力の蛍光カラーホイール装置に関する。
【背景技術】
【０００２】
カラーホイール装置は、レーザ光源による照明や投影、光学式フォトタイプセッティング及び光学的記憶などの分野で広く使用されている。例えば、３ＤＬＰ（Ｄｉｇｉｔａｌ  Ｌｉｇｈｔ  Ｐｒｏｃｅｓｓｉｏｎ）レーザ投影装置では、レーザ光源が発生するレーザにより蛍光カラーホイールを励起することで白色光を生成する。光源が出力する光パワーが向上するにつれて、蛍光カラーホイールでの熱消費電力も上昇する。蛍光体粉末が励起された光の効率が温度の上昇に伴い低下し、温度がある臨界点を越えると、効率が急激に低下する。よって、カラーホイールの放熱問題がうまく解決されないと、投影装置の正常の使用に影響する。
【０００３】
通常の３ＤＬＰレーザ投影装置における蛍光カラーホイールの放熱装置が、図１に示されている。当該放熱装置が、複数の構造部材が組み立てられてなる密閉キャビティ１０１を備え、密閉キャビティ内に内部風路が形成され、風の方向が矢印１０６で示され、または、その反対方向であってもよい。カラーホイール１０３がモータ１０２に取り付けられ、モータ１０２が密閉キャビティ１０１の内壁面に固定されている。モータ１０２が軸Ａ１を回転するように駆動することにより、カラーホイール１０３が回転し、カラーホイールキャビティ１０７内で空気の流れが発生し、外部との熱交換を行う。加熱された空気がファン１０４による駆動で熱交換器キャビティ１０８に入り、熱交換器１０５内で冷却された後、風路に沿ってカラーホイールキャビティ１０７に戻ることにより、１つの吸熱及び放熱のサイクルが完了する。よって、通常の３ＤＬＰレーザ投影装置における蛍光カラーホイールの放熱用の循環風路の風抵抗が大きいため、大風量の背圧の高いファンで気流が循環するように駆動することが必要であり、且つファンがカラーホイールキャビティの外部に設けられるため、カラーホイールの動作時に発生する熱を直ちに奪うことができず、カラーホイールの動作効率に影響する。
【発明の概要】
【発明が解決しようとする課題】
【０００４】
本発明は、改良されたカラーホイール装置を提供する。
【課題を解決するための手段】
【０００５】
本発明の第１の態様によれば、本発明は、
励起光が照射されることにより被励起光を生成する波長変換層と、
前記波長変換層を収容し、吸気口と排気口とを備えるカラーホイールキャビティが内部に形成され、前記吸気口がカラーホイールキャビティの第１の位置に位置し、前記第１の位置が前記波長変換層に対向し、前記排気口がカラーホイールキャビティの第２の位置に位置し、前記第２の位置が前記吸気口の吸気方向に平行する密閉ケースと、
前記密閉ケース内に設けられているとともに、前記カラーホイールキャビティ外に位置し、熱交換入口と熱交換出口とを備える熱交換器と、
前記カラーホイールキャビティ内に設けられているとともに、前記波長変換層が載置され、気流がカラーホイールキャビティの吸気口から入り、排気口から排出されるための動力を供給することにより、気流がカラーホイールキャビティの吸気口から排気口と、熱交換入口と、熱交換出口とを経由して、再び吸気口に戻る循環風路が形成されるカラーホイールモジュールと、
を備えるカラーホイール装置を提供する。
【０００６】
本発明に係るカラーホイール装置において、前記カラーホイールモジュールが、
受光面の端面に前記波長変換層が設けられる放熱板と、
前記放熱板の、受光面から離れる端面に設けられる複数の羽根と、
前記密閉ケースに固定され、回転軸が前記放熱板に連結し、前記放熱板、波長変換層及び複数の羽根を同期回転させる駆動装置と、
を備える。
【０００７】
本発明に係るカラーホイール装置において、前記波長変換層と前記放熱板との間に基板がさらに設けられ、前記基板の、受光面から離れる端面が前記放熱板に接着又は溶接され、前記波長変換層が前記基板の受光面の端面に設けられている。
【０００８】
本発明に係るカラーホイール装置において、前記複数の羽根が前記放熱板の径方向に延在し、前記複数の羽根が環状に均一に配置されている。
【０００９】
本発明に係るカラーホイール装置において、前記複数の羽根が前記放熱板と一体成形される。
【００１０】
本発明に係るカラーホイール装置において、前記放熱板が、金属材質で製造される。
【００１１】
本発明に係るカラーホイール装置において、前記放熱板がセラミックス材質で製造され、前記波長変換層が焼結により前記放熱板の表面に固定設置される。
【００１２】
本発明に係るカラーホイール装置において、前記カラーホイールモジュールが、蓋体を更に備え、前記蓋体が中部に第１の開口を有し、縁部に１つ又は複数の第２の開口を有し、前記蓋体が前記波長変換層と前記熱交換器との間に位置し、密閉ケースとともにカラーホイールキャビティを形成し、前記第１の開口が前記放熱板の中心軸部位に対向して吸気口を形成し、第２の開口が排気口を形成する。
【００１３】
本発明に係るカラーホイール装置において、前記熱交換器の表面に放熱フィンがさらに設けられ、前記放熱フィンが延在して前記密閉ケースを通過し、外側へ延出する。
【００１４】
本発明に係るカラーホイール装置において、前記第１の開口が円状であり、前記放熱板が円状であり、前記第１の開口の直径が前記放熱板の直径よりも小さい。
【００１５】
本発明に係るカラーホイール装置において、前記熱交換器が密閉ケースの内壁又は蓋体に設けられ、前記熱交換器の熱交換出口及び熱交換入口がそれぞれ前記熱交換器の正対する２つの外側面に設けられ、且つ、熱交換出口が前記吸気口に隣接する。
【００１６】
本発明に係るカラーホイール装置において、前記熱交換入口及び前記熱交換出口により規定される方向が前記放熱板の軸方向に一致し、且つ、前記熱交換出口が前記吸気口に隣接する。
【００１７】
本発明に係るカラーホイール装置において、前記熱交換器が２つ設けれ、２つの熱交換器が互いに分離して、それぞれ前記吸気口の両側に設けられ、且つ、２つの熱交換器の熱交換入口が対向設置されている。
【発明の効果】
【００１８】
本発明は、以下の有益な効果を奏することができる。
気流が吸気口からカラーホイールキャビティ内に吸い込まれ、カラーホイールキャビティ内で充分に吸熱されてから排気口から飛び出し、飛び出した気流が熱交換器で充分に冷却されてから再びカラーホイールキャビティに吸い込まれ、即ち、当該カラーホイール装置には、１つの完全な放熱用の循環風路が形成され、且つ、当該循環風路の駆動力がカラーホイールキャビティ内におけるカラーホイールモジュールにより直接実現されることにより、カラーホイール装置におけるカラーホイールモジュールが循環風路中の気流と十分に熱交換を行うことができ、カラーホイールモジュールの動作時に発生する熱を直ちに奪うことができるため、カラーホイールモジュールの動作効率を向上させ、カラーホイール装置の使用寿命を延長させる。
【図面の簡単な説明】
【００１９】
【図１】通常の３ＤＬＰレーザ投影装置における蛍光カラーホイールの放熱装置の構成を示す模式図である。
【図２】本発明の一実施例におけるカラーホイール装置の構成を示す模式図である。
【図３】図２におけるカラーホイールモジュールの構成を示す模式図である。
【図４Ａ】図１におけるカラーホイールキャビティの組立模式図である。
【図４Ｂ】図１におけるカラーホイールキャビティの分解模式図である。
【図５】本発明の他の実施例におけるカラーホイール装置の構成を示す模式図である。
【図６】図５におけるカラーホイールキャビティの組立模式図である。
【図７】本発明の更なる他の実施例におけるカラーホイール装置の構成を示す模式図である。
【図８】図７における熱交換器の構成を示す模式図である。
【発明を実施するための形態】
【００２０】
以下、発明を実施するための形態及び図面を参照しながら本発明についてより詳細に説明する。
【００２１】
図２〜図８には、本発明に係るカラーホイール装置を示している。当該カラーホイール装置が、主に３ＤＬＰレーザ投影装置に用いられる。理解できるように、当該カラーホイール装置が他の一般的なの照明システム又は投影システムにおける発光装置に用いられても良い。
【００２２】
（実施例１）
図２及び図３を参照すると、当該カラーホイール装置が、波長変換層２０と、密閉ケース２１と、カラーホイールモジュール２４と、熱交換器２５とを備える。
【００２３】
波長変換層２０が、主に励起光を吸収して被励起光を生成するためのものであり、波長変換層２０には、波長変換材料が含まれている。最もよく用いられる波長変換材料が、蛍光体粉末、例えば、青色光を吸収し励起されて黄色の被励起光を生成可能なイットリウムアルミニウムガーネット（ＹＡＧ）蛍光体粉末である。波長変換材料は、量子ドットや蛍光染料などの波長変換能力を有する材料であってもよく、蛍光体粉末に限定されない。波長変換材料が粉末状又は粒状であることが多く、波長変換材料層を直接形成することが困難であるため、接着剤により個々の波長変換材料の粒子を固定し、特定の形状、例えば、シート状に形成する必要がある。
【００２４】
密閉ケース２１が、主に波長変換層２０やカラーホイールモジュール２４及び熱交換器２５などの放熱装置に外部と隔離する密閉キャビティを提供するように機能する。即ち、密閉ケースの内部には、吸気口２２１と排気口２２２とを備えるカラーホイールキャビティ２２が形成され、吸気口２２１が、一般的に波長変換層２０に対向するカラーホイールキャビティ２２の第１の位置に位置し、排気口２２２が、一般的に吸気口２２１の吸気方向に平行するカラーホイールキャビティ２２の第２の位置に位置する。図２に示すように、本実施例における吸気口２２１がカラーホイールキャビティの中部に位置してもよく、排気口２２２がカラーホイールキャビティの縁部に位置してもよい。本発明の実施例では、波長変換層２０及びカラーホイールモジュール２４がカラーホイールキャビティ２２に収容され、熱交換器２５がカラーホイールキャビティ２２の外部に設けられている。当該密閉ケース２１が複数の構造部材を接合して形成されてもよいし、射出プロセスで一体成形されてもよい。
【００２５】
カラーホイールモジュール２４が、上記カラーホイールキャビティ２２内に設けられている。カラーホイールモジュール２４は、主に、カラーホイールキャビティ２２の外のガスが吸気口２２１から上記カラーホイールキャビティ２２内に入り、排気口２２２から上記カラーホイールキャビティ２２外に排出されることにより、気流がカラーホイールキャビティ２２の吸気口２２１から排気口２２２、熱交換入口２５１及び熱交換出口２５２を経由して、再び吸気口２２１に戻る循環風路２３を形成するように機能する。
【００２６】
具体的に、図３を参照すると、カラーホイールモジュール２４は、放熱板２４１と、複数の羽根２４２と、駆動装置２４３とを備えることが可能である。駆動装置２４３としては、一般的に、通常のマイクロモータ又はマイクロ電動機などを用いても良い。上記複数の羽根２４２は、上記放熱板２４１と一体成形されることが好ましい。上記波長変換層２０が放熱板２４１の受光面に設けられ、複数の羽根２４２が放熱板２４１の受光面から離れる端面に設けられ、駆動装置２４３が密閉ケース２１に固定され、駆動装置２４３の回転軸が放熱板２４１と連結し放熱板２４１及び複数の羽根２４２を同期回転させる。放熱板２４１および羽根２４２は、いずれも熱伝導率の高い材料、例えばアルミニウム又は銅等で構成され、また、セラミックス材質、例えば窒化アルミニウム、炭化ケイ素、アルミナなどのセラミックスで構成されてもよい。また、製造プロセスについて、放熱板２４１を羽根２４２と直接一体成形してもよい。波長変換層２０を放熱板２４１に直接塗布し焼結する。なお、レーザで波長変換層２０を照射することにより生じる熱は、熱伝導で放熱板２４１及び羽根２４２に伝導されるため、対流放熱の熱交換面積を大幅に増加させる。
【００２７】
駆動装置２４３が高速に回転する際、カラーホイールモジュール２４が遠心ファンに相当し、ガスが吸気口２２１からカラーホイールキャビティ２２内に吸い込まれ、カラーホイールモジュール２４の作用で加速し加圧され、ガスがカラーホイールキャビティ２２内で放熱板２４１及び羽根２４２と熱交換を行うことにより加熱され、そして、カラーホイールモジュール２４の作用で排気口２２２でカラーホイールキャビティ２２から飛び出すことにより、カラーホイールキャビティ２２内でレーザ照射によって波長変換層２０で生じる熱を奪う。
【００２８】
さらに、上記波長変換層２０と放熱板２４１との間に基板２４４がさらに設けられてもよく、基板２４４の、受光面から離れる端面が放熱板２４１に接着又は溶接され、波長変換層２０が基板２４４の受光面に設けられている。基板２４４が、主に、上記波長変換層２０を載置するとともに、生成した被励起光を反射する。実際に、製造プロセスが実施可能である場合に、放熱板２４１が反射の要求を満たせば、放熱板２４１に上記波長変換層２０を直接塗布して焼結することは、本実施例の好適な実施態様である。即ち、放熱板２４１の反射率が要求を満たす前提で、波長変換層２０を載置するための基板２４４を別途設けないことが最も好適である。
【００２９】
更に、複数の羽根２４２が放熱板２４１の径方向に延在し、複数の羽根２４２が環状に均一に配置されている。羽根２４２により、放熱板２４１の熱交換面積を効果的に増加させることが可能であり、放熱板２４１に伝導された熱をより速くカラーホイールキャビティ２２の内部の空気に放出させることにより、カラーホイールキャビティ２２の内部の熱交換効率を向上させ、放熱効果を高めるため、上記波長変換層２０の温度を低下させ、カラーホイールモジュール２４の信頼性を向上させ、使用寿命を延長させる。
【００３０】
ここで、羽根２４２が放熱板２４１の径方向に直線状に延在してもよいが、このようにすると、放熱板２４１の回転時の風抵抗を増大させるため、放熱板２４１を駆動するための駆動装置２４３がより大きい駆動力を有する必要がある。
【００３１】
風抵抗を低減させるために、好ましくは、羽根２４２が基板２４４の径方向に円弧状に延在する。これにより、基板２４４の回転を駆動するための駆動力を効果的に低減させる。
【００３２】
熱交換器２５が、上記密閉ケース２１内に設けられているとともに、上記カラーホイールキャビティ２２の外に位置し、且つ、熱交換入口２５１と熱交換出口２５２とを備える。熱交換入口２５１が上記排気口２２２に連通し、熱交換出口２５２が上記吸気口２２１に連通する。このように、カラーホイールキャビティ２２の排気口から飛び出した熱気流が熱交換入口２５１を通過してから熱交換器２５内に入り、熱交換器２５における冷媒と熱交換を行う。冷却された気流が再び熱交換出口２５２と吸気口２２１とを通してカラーホイールキャビティ２２内に吸い込まれる。
【００３３】
なお、気流がカラーホイールモジュールによりカラーホイールキャビティに吸い込まれ、波長変換層を冷却させ、カラーホイールキャビティ２２から飛び出す。熱交換器の周方向に密閉ケース及びバッフルプレートが密着するため、気流が排気口２２２と熱交換入口２５１とを経由して熱交換器２５内に入り、熱交換が行われ、且つ、熱交換が行われた気流が、熱交換出口２５２及び吸気口２２１のみを介してカラーホイールキャビティ２２内に吸い込まれることができる。
【００３４】
図４Ａ、４Ｂを参照すると、カラーホイールモジュール２４は、蓋体２４５をさらに備え、蓋体２４５が波長変換層２０と熱交換器２５との間に位置し、その外縁が密閉ケース２１に固定接続されている。蓋体２４５が、カラーホイールモジュール２４と熱交換器２５とを分離し、密閉ケースとともにカラーホイールキャビティ２２を形成する。蓋体２４５は、中部に第１の開口を有し、縁部に１つ又は複数の第２の開口を有する。当該第１の開口が放熱板２４１の中心軸部位に対向して吸気口を形成し、第２の開口が排気口を形成する。即ち、カラーホイールキャビティ２２の吸気口２２１が放熱板２４１の中央位置に対応する。一方で、カラーホイールキャビティ２２の排気口２２２が１つのみ設けられ、且つ、波長変換層の径方向に配置されている。理解できるように、本実施例における排気口２２２が、放熱板２４１が所在する平面に対して垂直に配置されることが好ましい。このようにすると、羽根２４２によってその径方向に飛び出した気流がそのまま排気口２２２を直接通過して熱交換器２５へ流れる。これにより、カラーホイールキャビティ２２の排気口２２２での風圧が高く、流速が高くなる。
【００３５】
好ましくは、蓋体２４５の中央における第１の開口が円形状であり、即ち、カラーホイールキャビティ２２の吸気口２２１が円形状であり、且つ、吸気口２２１の円心が放熱板２４１の回転軸線上に位置する。吸気口２２１は、放熱板２４１よりも直径が小さい。羽根２４２によって飛び出した高速の気流は、少ない一部が放熱板２４１の縁部において放熱板２４１に阻まれ、放熱板２４１の軸方向へ移動し、乱流を形成する。その乱流が放熱板２４１の縁部において軸方向に設けられる蓋体２４５に阻まれ、放熱板２４１の径方向に移動する大部分の気流に巻き込まれ、カラーホイールキャビティ２２の排気口２２２から排出される。このように、乱流除去という効果を奏し、熱交換が行われていない乱流が逆に熱交換器２５に逆流し、又は熱交換器２５の熱交換出口２５２から流出する気流に干渉して、全体の循環風路が不安定になる問題を防止する。
【００３６】
さらに、本実施例では、熱交換器２５が、密閉ケース２１の内壁又は蓋体に固定され、熱交換器２５の熱交換出口２５２及び熱交換入口２５１がそれぞれ熱交換器２５の正対する２つの外側面に設けられ、且つ熱交換出口２５２が吸気口２２１に近接している。熱交換入口２５１及び熱交換出口２５２により規定される方向が放熱板２４１の軸方向に一致し、且つ熱交換出口２５２が吸気口２２１に隣接する。対応的に、循環風路２３が、密閉ケース２１の幅方向に延在する第１の風路２３１と、密閉ケース２１の高さ方向に延在する第２の風路２３２を更に備える。
【００３７】
本実施例では、熱交換器２５は、主に空気−液体式熱交換器であり、本発明の他の実施例では、空気−空気式熱交換器が用いられてもよい。即ち、熱交換器２５の表面に放熱フィンが設けられ、放熱フィンの端部が密閉ケース２１を通過し外部へ延出して、外部の強制対流装置により放熱フィンの表面の熱を奪うことにより、降温の効果を奏する。
【００３８】
（実施例２）
図５及び図６を参照すると、本実施例に係るカラーホイール装置は、実施例１に係るカラーホイール装置に比べ、大体の構成及び基本の機能が同様または類似であるため、ここで説明を省略する。以下、両者の相違点のみについて説明する。
【００３９】
本実施例では、カラーホイールキャビティ２２の吸気口２２１が同様に放熱板２４１の中央位置に正対するが、カラーホイールキャビティ２２の排気口２２２が複数設けられ、一般的に、本実施例における排気口２２２が放熱板２４１の外円周方向に均一に配置されてもよい。このように設計する利点が、カラーホイールキャビティ２２の排気口２２２での面積が大きく、風量が多くなることにある。
【００４０】
さらに、本実施例では、熱交換器２５の熱交換入口２５１が同様に熱交換器２５の吸気口２２１から離間する外側面に設けられ、熱交換器２５の熱交換出口２５２が同様に熱交換器２５の吸気口２２１に近い外側面に設けられている。対応的に、循環風路２３が、密閉ケース２１の幅方向に延在する第１の風路２３１と、密閉ケース２１の高さ方向に延在する第２の風路２３２とを備える。ただし、実施例１では、循環風路２３が、少なくとも１つの第１の風路２３１を備え、一方で、本実施例では、循環風路２３が、少なくとも２つの第１の風路２３１を備える。
【００４１】
（実施例３）
図７及び図８を参照すると、本実施例に係るカラーホイール装置は、実施例２に係るカラーホイール装置に比べ、大体の構成及び基本の機能が同様または類似であるため、ここで説明を省略する。以下、両者の相違点のみについて説明する。
【００４２】
本実施例では、熱交換器２５の構成が変わっている。熱交換器２５が、中空矩形であってもよいし、図８に示す環状の熱交換器２５であってもよい。即ち、熱交換器２５の中部に環状の開口が設けられてもよい。このようにすると、熱交換器２５の熱交換入口２５１及び熱交換出口２５２の配置も変わる。具体的には、以下のようになる。
【００４３】
熱交換器２５の熱交換出口２５２が環状の開口の吸気口２２１に近い外側面に設けられている。環状の開口が熱交換器２５の中部に設けられている場合、熱交換器２５の熱交換出口２５２の配置位置が、実施例２における熱交換出口２５２の配置位置に一致してもよい。即ち、熱交換出口２５２が環状の開口の軸方向に対応し、熱交換出口２５２が熱交換器２５の吸気口２２１に近い外側面に設けられている。一方、熱交換器２５の熱交換入口２５１が複数設けられてもよい。一般的に、熱交換入口２５１が環状の開口の外円周方向に均一に配置されてもよい。熱交換器２５が環状の熱交換器２５である場合、熱交換入口２５１が環状の熱交換器２５の外円周方向に均一に配置されてもよい。
【００４４】
また、熱交換入口２５１が環状の熱交換器２５の外円周方向に均一に配置されているため、熱交換器２５の一方の端が密閉ケース２１の内側壁に貼り合わせることが可能であり、これによって、循環風路２３が密閉ケース２１の幅方向に延在する第１の風路２３１のみを含むようになる。このように設計する利点は、カラーホイール装置の幅方向の寸法をより小さくし、さらに本実施例に係るカラーホイール装置全体の寸法を小さくすることにある。
【００４５】
さらに、熱交換器２５が２つ設けられてもよい。２つの熱交換器２５が互いに分離してそれぞれ吸気口２２１の両側に設けられ、且つ、２つの熱交換器２５の熱交換入口２５１が対向設置されている。
【００４６】
以上の内容は、具体の実施態様を参照して本発明をさらに詳細に説明したものであり、本発明の具体の実施形態がこれらの説明に限定されない。当業者であれば、本発明の構想を逸脱しない前提で、様々な簡単な変更や置換を行うことが可能である。
【符号の説明】
【００４７】
２０…波長変換層
２１…密閉ケース
２２…カラーホイールキャビティ
２２１…吸気口
２２２…排気口
２３…循環風路
２３１…第１の風路
２３２…第２の風路
２４…カラーホイールモジュール
２４１…放熱板
２４２…羽根
２４３…駆動装置
２４４…基板
２４５…蓋体
２５…熱交換器
２５１…熱交換入口
２５２…熱交換出口
【図１】
2019504441.tif 000003
【図２】
2019504441.tif 000004
【図３】
2019504441.tif 000005
【図４Ａ】
2019504441.tif 000006
【図４Ｂ】
2019504441.tif 000007
【図５】
2019504441.tif 000008
【図６】
2019504441.tif 000009
【図７】
2019504441.tif 000010
【図８】
2019504441.tif 000011
【国際調査報告】
2019504441.tif 000012
2019504441.tif 000013
2019504441.tif 000014
2019504441.tif 000015
2019504441.tif 000016
2019504441.tif 000017